(57)【要約】【課題】  簡単な装置と少ない個数の発光手段であるＬＥＤと、花束包装具の透明フィルムを用いて、より華やかでより美しい花束を提供するための、発光装置付き花束包装具を提供する。【解決手段】  電源及びスイッチ回路を内蔵する電源ボックスと、該電源ボックス内の電気回路に接続され、その先端部にＬＥＤ素子をそれぞれ有する複数のリード線と、これらを花束に固定するための固定ベルトとからなる花束結束具及び少なくとも前記複数のＬＥＤ素子の外周部を花束と共に覆うことのできる光拡散フィルムから構成される。【選択図】図１
2008308201.tif 000002
【特許請求の範囲】
【請求項１】
電源及びスイッチ回路を内蔵する電源ボックスと、該電源ボックス内の電気回路に接続され、その先端部にＬＥＤ素子をそれぞれ有する複数のリード線と、これらを花束に固定するための固定ベルトとからなる花束結束具及び少なくとも前記複数のＬＥＤ素子の外周部を花束と共に覆うことのできる光拡散フィルムから構成され、前記電源ボックス内に設けられたスイッチ回路の投入によって前記ＬＥＤ素子を点滅させ、該ＬＥＤ素子からの光が前記光拡散フィルムによって拡散されることによって花束全体を装飾することを特徴とする発光装置付き花束包装具。
【請求項２】
前記光拡散フィルムは、通常の花束包装用透明シートを兼ねていることを特徴とする請求項１記載の発光装置付き花束包装具。
【請求項３】
前記光拡散フィルムは、通常の花束包装用透明シートの一部に添着されていることを特徴とする請求項１記載の発光装置付き花束包装具。
【請求項４】
前記スイッチ回路の投入は、通電ストッパーを引き抜くことで行われることを特徴とする請求項１〜３のいずれかに記載の発光装置付き花束包装具。
【発明の詳細な説明】
【技術分野】
【０００１】
本発明は花束用包装具に係り、特に、発光ダイオード（以下、ＬＥＤと記す）と光拡散フィルムとを組み合わせることによって、ＬＥＤからの種々の色の光を拡散させ、花束をより美しく華やかに照明する包装具を提供するものである。
【背景技術】
【０００２】
従来公知の花束用照明装置としては、例えば実開平５−２５６０１号公報に係る考案が知られている。この照明装置においては、２本の絶縁ワイヤーからなるリード線にＬＥＤで構成される照明ランプを取り付けて照明手段とし、このような照明手段を複数束ねておき、これを花束に組み込んでＩＣの点滅機構によって点滅照明するものである。
【０００３】
このような花束用照明装置によれば、それぞれの照明ランプの点滅によって放射される光は直接花束の花や葉に当りあるいは観賞者の目に達して、華やかさと美しさを感じさせるけれども、照明ランプの数に応じた光が放射されるだけで一層の華やかさに欠けると言う欠点があった。
【０００４】
また、特開２００７−９３４９号公報にも装飾用発光器具が開示されており、この発明によれば、電池及び電源回路を収納した電源部であるケーシングと、複数のリード線にそれぞれ取り付けられたＬＥＤと、これらを保持する変形自在な細線部材とからなり、前記の電源回路は照度検出センサーによって検出された照度が所定の閾値になった時にＬＥＤに対して電力を供給するものである。
【０００５】
しかしながらこのような装飾用発光器具によるときは、構成が比較的複雑なわりには華やかさがなく、しかも、ＬＥＤからの光が直接目に入り、又は花束の花等に遮られることで、全体的な美しさに欠けるものであった。
【特許文献１】実開平５−２５６０１号公報
【特許文献２】特開２００７−９３４９号公報
【発明の開示】
【発明が解決しようとする課題】
【０００６】
本発明は上記従来装置の欠点に鑑み、簡単な装置と少ない個数の発光手段であるＬＥＤと、花束包装具の透明フィルムを用いて、より華やかでより美しい花束を提供するための、発光装置付き花束包装具を提供するものである。
【課題を解決するための手段】
【０００７】
電源及びスイッチ回路を内蔵する電源ボックスと、該電源ボックス内の電気回路に接続され、その先端部にＬＥＤ素子をそれぞれ有する複数のリード線と、これらを花束に固定するための固定ベルトとからなる花束結束具及び少なくとも前記複数のＬＥＤ素子の外周部を花束と共に覆うことのできる光拡散フィルムから構成され、前記電源ボックス内に設けられたスイッチ回路の投入によって前記ＬＥＤ素子を点滅させ、該ＬＥＤ素子からの光が前記光拡散フィルムによって拡散されることによって花束全体を装飾する構成である。
【発明の効果】
【０００８】
本発明によれば、花束に設けられた結束具の電源手段に設けたスイッチ回路の作動により、複数のＬＥＤが点灯され、結束具に設けたバッテリーにより、１〜２時間これを継続することができる。
また、スイッチ回路中に通電ストッパーを用いるときは、これを引き抜くことで花束の結束部がすっきりとして外観を損ねない。
そして、ＬＥＤの点灯は例えば３色の各ＬＥＤを順番に点滅できると共に、これらＬＥＤからの点滅光が光拡散フィルムを通過する時に四方に拡散され、虹色に極めて美しく華やかに花々を照明することができる。
また、このような色とりどりの拡散光は直接観察者の目にも届くため、一層美しい花束贈呈の効果を演出することができる。
【発明を実施するための最良の形態】
【０００９】
本発明に係る発光装置付き花束包装具を図１〜図４により説明する。
図１は、本発明の花束包装具を用いて作成された花束１０を示しており、種々の花々１２〜１４を束にした通常の花束１１を有している。また、符号２０で示す発光装置付き結束具は、その詳細を図２において説明するように、発光手段である複数のＬＥＤ２１Ａ〜２１Ｃと電源手段２４と固定ベルト２５を有している。更に、図中の符号Ｌは光拡散フィルム内側から放射される色とりどりの光を、模擬的に示している。
【００１０】
符号３０で示す透明シートは、後に図３、図４によって詳細を説明するように、少なくともＬＥＤの周囲を覆う位置と広さで光拡散フィルムを有する花束包装用シートである。
そして、通常の花束１１を上記花束包装用シート３０で包装するに当って、上記結束具２０の発光手段２１Ａ〜２１Ｃを花束１１内に挿入し、固定ベルトにより結束し、包装用シート３０で覆ってリボン３５が取り付けられる。
【００１１】
図１に示すように、通常の花束１１は複数の花々１２〜１４が束ねられるが、それぞれの花の種類によってその長さが異なっている。従って、このような花束は花の種類や色合いにより、バランスの良い長さや配置にして束が構成されている。そして、通常このような花束１１は、一般的に透明な包装紙によってその外周を捲回包装されるけれども、本発明によるこのような包装は、光拡散フィルムからなる透明シート３０によって捲回包装される。
すなわち、この実施例にあっては包装用透明シート３０全体が光拡散フィルムで作られている。
【００１２】
ここで、光拡散フィルムについて説明すれば、一般的に透明フィルムの一方側表面に多数の凹凸部を形成し、そこを透過する光の部分的な径路の差による当該透過光のランダムな屈折により拡散させるものが知られている。しかしながら、本願発明においては光拡散フィルムの構造自体が新規なものではなく、従来知られている種々の光拡散フィルムを使用できる。
【００１３】
符号２０で示す結束具は、特に図２で明らかなように、複数のＬＥＤからなる照明手段２１Ａ〜２１Ｃを有しており、これらの照明手段２１Ａ〜２１Ｃは後述するように、それぞれが一対のワイヤーからなるリード線２３〜２３の先端に、複数のＬＥＤ素子２２Ａ〜２２Ｃ（例えば赤、青、黄色等の光を発する）を備えている。
【００１４】
各ＬＥＤ照明手段２１Ａ〜２１Ｃのリード線２３〜２３は電源手段２４に接続されているが、その電源手段の構造自体は新規なものでなく、図示を省略している。
また、該電源手段２４の内部には、各ＬＥＤ照明手段のリード線２３〜２３と電源とを電気的に接・断する電極部が設けられており、この電極部は通常、不導体材料からなる引抜き式通電ストッパー２６を備えており、該通電ストッパー２６を電源手段２４部分から引抜くことによって、上記ＬＥＤ照明手段に通電されるようになっている。これは、２枚の接点板の間に通電ストッパー２６の足部を挟持させる形式で構成可能である。
また、このような通電ストッパーの替りに、通常のＯＮ・ＯＦＦスイッチを用いることもできる。
【００１５】
図３は、本発明において使用される光拡散フィルムの一形態を示している。光拡散フィルム自体の構成は、例えば特表２００４−５３３６５６号公報他で知られており、光拡散フィルム自体の構造に一般的なものが利用できるけれども、例えば光拡散特性（例えば光の拡散度合が方向によって異なる）の異なる複数特性のフィルムを接続させたものや、単一特性のものを自由に利用できる。
なお、光拡散フィルムの構造については前記［００１２］項に記載の通りである。
【００１６】
そして、図３に示すごとき光拡散フィルム３１を上記図１に示すように、一般的な包装用シート３０としてそのまま使用することができる。この場合、包装用シート３０部分の全体が光拡散シート３１とされるので、図１における各ＬＥＤ照明手段２１Ａ〜２１Ｃから放射された光は全て光拡散フィルムである包装用シート３０によって拡散され、どの様な方向からも多数の部分から虹色の光が観測され、ＬＥＤの放射光及び花々からの反射光が色とりどりに美しく観察できる。
【００１７】
図４は、通常の透明包装用シート３０の一部に帯状の光拡散フィルム３１を添着したものを示している。これは、光拡散フィルム自体の使用量をより少なくして包装手段を安価に作成するものであって、図４の包装用シート３０は従来一般の花束包装用の形状とし、併しながら当該包装用シート３０を用いて図１のように花束を包装した場合に、各ＬＥＤ照明手段２１Ａ〜２１Ｃの外周部を完全に覆い得る位置にのみ、光拡散フィルム３１が配置されるものである。
【００１８】
続いて、本発明の構成に係る発光装置付き花束包装具の作用を説明すると、例えば各種パーティー等における贈呈用花束１１に、特に図２に示すごとき結束具２０を固定ベルト２５により取り付け、その外周を光拡散フィルム３１からなる透明包装シート３０又は図４に示すごとき光拡散フィルム３１付きの透明包装シート３０で捲回包装し、リボン３５を取り付ける。
【００１９】
その後、例えば花束贈呈の寸前に電源手段２４から通電ストッパー２６を引き抜くと、図示しない電源バッテリーから各ＬＥＤ２１Ａ〜２１Ｃに通電され、別途電源手段２４内に設けた電子回路によって例えば赤、青、黄色の３色のＬＥＤが順次点滅される。すると、これらのＬＥＤから放射された光又は花に反射された光は光拡散フィルム３１の部分を透過し、虹色の拡散光（図１の符号Ｌ）となって点滅するものである。
なお、上記電源バッテリーとしては、図示のごとき複数個のＬＥＤを１〜２時間点滅可能な容量で十分である。
【図面の簡単な説明】
【００２０】
【図１】本発明の発光装置付き花束包装具を取り付けた花束の外観図である。
【図２】図１の発光装置付き結束具の展開図である。
【図３】光拡散フィルムの斜視図である。
【図４】光拡散フィルムを添着した包装シートの平面図である。
【符号の説明】
【００２１】
１０  花束
１２〜１４  花
２０  発光装置付き結束具
２１Ａ〜２１Ｃ  照明手段
２２Ａ〜２２Ｃ  ＬＥＤ素子
２３  リード線
２４  電源手段
２５  固定ベルト
２６  通電ストッパー
３０  花束包装用シート
３１  光拡散フィルム
３５  リボン
【図１】
2008308201.tif 000003
【図２】
2008308201.tif 000004
【図３】
2008308201.tif 000005
【図４】
2008308201.tif 000006